(57)【要約】【課題】走査速度を上げることなく階調再現力を向上させることが可能な表示装置の駆動装置を提供する。【解決手段】表示装置の駆動装置は、１フィールドを時間軸上で複数のサブフィールドに分割して、各サブフィールドにおいて表示部の各画素に対して階調に応じてオン電圧又はオフ電圧を印加することによって、表示装置を駆動する。この場合、表示装置の駆動装置は、少なくとも１フィールドにおいて全走査線が走査されるように、１サブフィールドごとに走査すべき走査線を選択すると共に、１サブフィールドの間に選択された走査線を複数回連続して走査する。これにより、サブフィールドを細かく設定することなく、各画素に加えられる最小パルス幅を小さくすることができる。したがって、上記の表示装置の駆動装置によれば、走査速度を上げることなく、階調表現力を高めることが可能となる。【選択図】図１
2008185775.tif 000002
【特許請求の範囲】
【請求項１】
１フィールドを時間軸上で複数のサブフィールドに分割して、各サブフィールドにおいて表示部の各画素に対して階調に応じてオン電圧又はオフ電圧を印加する表示装置の駆動装置であって、
１フィールドにおいて前記表示部における全走査線が少なくとも走査されるように、１サブフィールドごとに、走査すべき走査線を選択する走査線選択手段と、
前記１サブフィールドの間に、前記走査線選択手段により選択された走査線を複数回連続して走査する走査線駆動手段と、を備えることを特徴とする表示装置の駆動装置。
【請求項２】
前記走査線選択手段は、前記全走査線を複数の走査線からなる複数のグループに分割し、前記１サブフィールドごとに、前記複数のグループのいずれかのグループを順に選択すると共に、前記１フィールドにおいて前記選択を繰り返し実行することを特徴とする請求項１に記載の表示装置の駆動装置。
【請求項３】
前記走査線選択手段は、前記全走査線を、奇数番目の走査線からなる奇数走査線と偶数番目の走査線からなる偶数走査線とに分割し、前記１サブフィールドごとに、前記奇数走査線及び前記偶数走査線のいずれかを交互に選択することを繰り返し、
前記走査線駆動手段は、前記１サブフィールドの間に、前記走査線選択手段により選択された前記奇数走査線及び前記偶数走査線のいずれかを２回連続して走査することを特徴とする請求項１又は２に記載の表示装置の駆動装置。
【請求項４】
前記走査線選択手段は、「ｋ＝０、１、２、３、…」としたときに、前記１サブフィールドごとに、「３ｋ＋１」本目の走査線から構成される第１の走査線、「３ｋ＋２」本目の走査線から構成される第２の走査線、及び「３ｋ＋３」本目の走査線から構成される第３の走査線のいずれかを順に選択することを繰り返し、
前記走査線駆動手段は、前記１サブフィールドの間に、前記走査線選択手段により選択された前記第１の走査線、前記第２の走査線、及び前記第３の走査線のいずれかを３回連続して走査することを特徴とする請求項１又は２に記載の表示装置の駆動装置。
【請求項５】
前記１サブフィールドの間において前記走査線選択手段により選択された走査線を１回走査し終えるタイミング、前記１サブフィールドが終了するタイミング、及び前記１フィールドが終了するタイミングのいずれかのタイミングで、前記印加する電圧の極性を反転させる極性反転駆動手段を更に備えることを特徴とする請求項１乃至４のいずれか一項に記載の表示装置の駆動装置。
【請求項６】
請求項１乃至５のいずれか一項に記載の表示装置の駆動装置と、
前記表示装置の駆動装置によって駆動され、画像を表示する表示部と、を備えることを特徴とする電子機器。
【請求項７】
１フィールドを時間軸上で複数のサブフィールドに分割して、各サブフィールドにおいて表示部の各画素に対して階調に応じてオン電圧又はオフ電圧を印加する表示装置の駆動方法であって、
１フィールドにおいて前記表示部における全走査線が少なくとも走査されるように、１サブフィールドごとに、走査すべき走査線を選択する走査線選択工程と、
前記１サブフィールドの間に、前記走査線選択工程により選択された走査線を複数回連続して走査する走査線駆動工程と、を備えることを特徴とする表示装置の駆動方法。
【発明の詳細な説明】
【技術分野】
【０００１】
本発明は、サブフィールド駆動方式により階調表示制御を行う表示装置の駆動装置、駆動方法、及び電子機器に関する。
【背景技術】
【０００２】
従来から、例えば液晶表示装置における液晶パネルに対するデジタル的な駆動方式として、１フィールドを時間軸上で複数のサブフィールドに分割して各サブフィールドにおいて各画素を階調に応じてオン電圧又はオフ電圧を印加するサブフィールド駆動方式が提案されている。例えば、特許文献１には、オン電圧を印加した場合に電気光学材料の透過率が飽和するまでの飽和応答時間よりもサブフィールドの時間を短く設定し、表示データに基づいてオン電圧を印加するサブフィールドとオフ電圧を印加するサブフィールドとを決定して階調表現を行う技術が記載されている。
【０００３】
【特許文献１】特開２００３−１１４６６１号公報
【発明の開示】
【発明が解決しようとする課題】
【０００４】
ところで、サブフィールド駆動方式を用いた場合、表示可能な階調が、分割したサブフィールドの数に制限されてしまう傾向にある。つまり、最小パルス幅（１サブフィールドの時間幅に対応する）によって、階調再現力が決定されると言える。例えば、フィールドをＭ個のサブフィールドに分割した場合、表示可能な階調は（Ｍ＋１）となる。ここで、階調数を増やすためには、パルスの組み合わせによって液晶のアナログ応答部の特性を利用したり、サブフィールドの数を増やしたりすることが考えられるが、この場合には画面の走査を高速にする必要がある。しかし、実際には駆動素子の動作速度により限界があると言える。
【０００５】
上記した特許文献１に記載された方法ではパルスの組み合わせを利用しているが、この方法によっても、設定された走査速度やサブフィールド数によって、暗部などの階調表現力が限定されてしまう場合があった。
【０００６】
本発明は、以上の点に鑑みてなされたものであり、サブフィールド駆動方式を用いて、走査速度を上げることなく階調再現力を向上させることが可能な表示装置の駆動装置、駆動方法、及び電子機器を提供することを課題とする。
【課題を解決するための手段】
【０００７】
本発明の１つの観点では、１フィールドを時間軸上で複数のサブフィールドに分割して、各サブフィールドにおいて表示部の各画素に対して階調に応じてオン電圧又はオフ電圧を印加する表示装置の駆動装置は、１フィールドにおいて前記表示部における全走査線が少なくとも走査されるように、１サブフィールドごとに、走査すべき走査線を選択する走査線選択手段と、前記１サブフィールドの間に、前記走査線選択手段により選択された走査線を複数回連続して走査する走査線駆動手段と、を備える。
【０００８】
上記の表示装置の駆動装置は、１フィールドを時間軸上で複数のサブフィールドに分割して、各サブフィールドにおいて表示部の各画素に対して階調に応じてオン電圧又はオフ電圧を印加することによって、表示装置を駆動する。この場合、走査線選択手段は、少なくとも１フィールドにおいて全走査線が走査されるように、１サブフィールドごとに走査すべき走査線を選択し、走査線駆動手段は、１サブフィールドの間に選択された走査線を複数回連続して走査する。これにより、１サブフィールドの時間幅が短くなるように設定することなく（リフレッシュ期間を細かく設定することなく）、各画素に加えられる最小パルス幅を小さくすることができる。具体的には、最小パルス幅を、少なくとも１サブフィールドの時間幅よりも短くすることができる。したがって、上記の表示装置の駆動装置によれば、走査速度を上げることなく、階調表現力を高めることが可能となる。
【０００９】
上記の表示装置の駆動装置において好適には、前記走査線選択手段は、前記全走査線を複数の走査線からなる複数のグループに分割し、前記１サブフィールドごとに、前記複数のグループのいずれかのグループを順に選択すると共に、前記１フィールドにおいて前記選択を繰り返し実行することができる。
【００１０】
上記の表示装置の駆動装置の一態様では、前記走査線選択手段は、前記全走査線を、奇数番目の走査線からなる奇数走査線と偶数番目の走査線からなる偶数走査線とに分割し、前記１サブフィールドごとに、前記奇数走査線及び前記偶数走査線のいずれかを交互に選択することを繰り返し、前記走査線駆動手段は、前記１サブフィールドの間に、前記走査線選択手段により選択された前記奇数走査線及び前記偶数走査線のいずれかを２回連続して走査する。この場合、各画素に加えられる最小パルス幅を「１／２」サブフィールド期間にすることができる。
【００１１】
上記の表示装置の駆動装置の他の一態様では、前記走査線選択手段は、「ｋ＝０、１、２、３、…」としたときに、前記１サブフィールドごとに、「３ｋ＋１」本目の走査線から構成される第１の走査線、「３ｋ＋２」本目の走査線から構成される第２の走査線、及び「３ｋ＋３」本目の走査線から構成される第３の走査線のいずれかを順に選択することを繰り返し、前記走査線駆動手段は、前記１サブフィールドの間に、前記走査線選択手段により選択された前記第１の走査線、前記第２の走査線、及び前記第３の走査線のいずれかを３回連続して走査する。この場合、各画素に加えられる最小パルス幅を「１／３」サブフィールド期間にすることができる。
【００１２】
上記の表示装置の駆動装置の他の一態様では、前記１サブフィールドの間において前記走査線選択手段により選択された走査線を１回走査し終えるタイミング、前記１サブフィールドが終了するタイミング、及び前記１フィールドが終了するタイミングのいずれかのタイミングで、前記印加する電圧の極性を反転させる極性反転駆動手段を更に備える。これにより、一方の極性の電圧のみを印加させ続けた場合に発生し得る表示部の劣化などを適切に抑制することが可能となる。
【００１３】
上記の表示装置の駆動装置は、表示装置の駆動装置によって駆動され、画像を表示する表示部を備える画像表示装置に好適に適用することができる。
【００１４】
本発明の他の観点では、１フィールドを時間軸上で複数のサブフィールドに分割して、各サブフィールドにおいて表示部の各画素に対して階調に応じてオン電圧又はオフ電圧を印加する表示装置の駆動方法は、１フィールドにおいて前記表示部における全走査線が少なくとも走査されるように、１サブフィールドごとに、走査すべき走査線を選択する走査線選択工程と、前記１サブフィールドの間に、前記走査線選択工程により選択された走査線を複数回連続して走査する走査線駆動工程と、を備える。上記の表示装置の駆動方法によっても、走査速度を上げることなく、階調表現力を高めることが可能となる。
【発明を実施するための最良の形態】
【００１５】
以下、図面を参照して本発明の好適な実施形態について説明する。
【００１６】
［第１実施形態］
まず、本発明の第１実施形態について説明する。
【００１７】
図１は、第１実施形態に係る画像表示装置１００の概略構成を示すブロック図である。画像表示装置１００は、主に、コントローラ１０と、走査線駆動回路１１と、データ線駆動回路１２と、表示パネル１４と、を備える。画像表示装置１００は、画像信号を取得し、これを表示させるための装置である。具体的には、画像表示装置１００は、１フィールドを時間軸上で複数のサブフィールドに分割して各サブフィールドにおいて各画素を階調に応じてオン電圧又はオフ電圧を印加するサブフィールド駆動方式に基づいて、画像を表示する。つまり、１サブフィールド期間内で全画素を順次、オン若しくはオフに相当する２値の電圧のどちらかで書込み、これを１フィールドを構成する全てのサブフィールドにおいて繰り返して実行することで、１フィールド期間の明るさを決定する。
【００１８】
コントローラ１０は、クロック信号ｃｌｋと、垂直走査信号ＶＳと、水平走査信号ＨＳと、画像信号Ｄと、を外部から取得する。そして、コントローラ１０は、これらの取得した信号に基づいて、スタートパルスＤＹと、走査側転送クロックＣＬＹと、イネーブル信号ＥＮＢＹ１、ＥＮＢＹ２、ＥＮＢＸと、データ転送クロックＣＬＸと、２値信号Ｄｓと、を生成する。スタートパルスＤＹは、走査側（Ｙ側）に対する走査の開始タイミングで出力されるパルス信号である。走査側転送クロックＣＬＹは、走査側（Ｙ側）の水平走査を規定する信号である。イネーブル信号ＥＮＢＹ１、ＥＮＢＹ２は、ハイレベル又はローレベルを示すデータであり、走査線駆動回路１１から表示パネル１４（詳しくは走査線１４ａ）に対して出力すべきデータを選択するために用いられる。イネーブル信号ＥＮＢＸは、データ線駆動回路１２へデータ転送を開始する、及び走査線毎データを画素１４ｃへ出力するタイミングを決めるパルス信号であって、走査側転送クロックＣＬＹのレベル遷移（即ち、立ち上がり及び立ち下がり）に同期して出力される。データ転送クロックＣＬＸは、データ線駆動回路１２へデータを転送するタイミングを規定する信号である。２値信号Ｄｓは、画像信号Ｄに対応するデータであり、各サブフィールド期間毎に画素１４ｃをオン状態又はオフ状態にするためのハイレベル又はローレベルを示すデータである。
【００１９】
走査線駆動回路１１は、コントローラ１０から、スタートパルスＤＹと、走査側転送クロックＣＬＹと、イネーブル信号ＥＮＢＹ１、ＥＮＢＹ２とを取得し、表示パネル１４の走査線１４ａに対して走査信号Ｇ１、Ｇ２、Ｇ３、…、Ｇｎを出力する。具体的には、走査線駆動回路１１は、コントローラ１０から供給されるスタートパルスＤＹを走査側転送クロックＣＬＹに従って転送し、走査線１４ａの各々に走査信号Ｇ１、Ｇ２、Ｇ３、…、Ｇｎとして順次排他的に供給するものである。
【００２０】
データ線駆動回路１２は、コントローラ１０から、イネーブル信号ＥＮＢＸと、データ転送クロックＣＬＸと、データ信号Ｄｓとを取得し、表示パネル１４のデータ線１４ｂに対してデータ信号ｄ１、ｄ２、ｄ３、…、ｄｍを出力する。具体的には、データ線駆動回路１２は、ある水平走査期間において２値信号Ｄｓをデータ線１４ｂの本数に相当するｍ個順次ラッチした後、ラッチしたｍ個の２値信号Ｄｓを、次の水平走査期間において、それぞれ対応するデータ線１４ｂにデータ信号ｄ１、ｄ２、ｄ３、…、ｄｍとして一斉に供給するものである。
【００２１】
表示パネル１４は、液晶（ＬＣＤ）などによって構成され、電圧が印加されることによって画像信号などを表示する表示部である。具体的には、表示パネル１４は、走査線１４ａと、データ線１４ｂと、画素１４ｃとを備える。詳しくは、表示パネル１４には、ｎ本（なお、「ｎ」は偶数であるものとする）の走査線１４ａが、図においてＸ（行）方向に延在して形成され、ｍ本のデータ線１４ｂがＹ（列）方向に沿って延在して形成されている。そして、画素１４ｃは、走査線１４ａとデータ線１４ｂとの各交差に対応して設けられて、マトリクス状に配列されている。
【００２２】
なお、上記したコントローラ１０及び走査線駆動回路１１は、主に、本発明における表示装置の駆動回路として機能する。具体的には、コントローラ１０及び走査線駆動回路１１は、協調して動作することにより、走査線選択手段、走査線駆動手段、及び極性反転駆動手段として機能する。
【００２３】
ここで、図２を参照して、第１実施形態に係る走査線駆動回路１１の構成について具体的に説明する。図２は、走査線駆動回路１１の概略構成を示す図である。
【００２４】
走査線駆動回路１１は、シフトレジスタ１１ａと、アンド回路１１ｂ１〜１１ｂｎと、信号線１１ｃ２〜１１ｃｎと、信号線１１ｄ１〜１１ｄｎと、を有する。なお、以下では、アンド回路１１ｂ１〜１１ｂｎの区別をしない場合には単に「アンド回路１１ｂ」と呼び、信号線１１ｃ２〜１１ｃｎの区別をしない場合には単に「信号線１１ｃ」と呼び、信号線１１ｄ１〜１１ｄｎの区別をしない場合には単に「信号線１１ｄ」と呼ぶ。
【００２５】
シフトレジスタ１１ａは、コントローラ１０からスタートパルスＤＹ及び走査側転送クロックＣＬＹを取得する。また、シフトレジスタ１１ａには、「ｎ／２」本の信号線１１ｃが接続されており、コントローラ１０から供給されるスタートパルスＤＹを走査側転送クロックＣＬＹに従って転送し、信号線１１ｃの各々に信号を順次排他的に供給する。
【００２６】
また、信号線１１ｃは、２つに分岐しており、分岐したラインごとにアンド回路１１ｂに入力している。例えば、２つに分岐した信号線１１ｃ２は、アンド回路１１ｂ１と、アンド回路１１ｂ２とにそれぞれ入力している。同様に、信号線１１ｃ４は、２つに分岐した後、アンド回路１１ｂ３と、アンド回路１１ｂ４とにそれぞれ入力している。
【００２７】
なお、各アンド回路１１ｂからは、それぞれ信号線１１ｄが出力されており、信号線１１ｄは、前述した走査線１４ａ（図１参照）として、走査信号Ｇ１〜Ｇｎを出力することとなる。
【００２８】
そして、奇数番目（１、３、…、ｎー１）のアンド回路１１ｂ１、１１ｂ３、…、１１ｂｎ−１には、コントローラ１０からイネーブル信号ＥＮＢＹ１が入力され、偶数番目（２、４、…、ｎ）のアンド回路１１ｂ２、１１ｂ４、…、１１ｂｎには、コントローラ１０からイネーブル信号ＥＮＢＹ２が入力される。この場合、イネーブル信号ＥＮＢＹ１がハイレベルでありイネーブル信号ＥＮＢＹ２がローレベルである場合には、奇数番目の信号線１１ｄ１、１１ｄ３、…、１１ｄｎ−１のみから走査信号が出力されることとなる。つまり、「ｎ／２」本の奇数番目の走査線（以下、「奇数走査線」と呼ぶ。）のみが走査されることとなる。これに対して、イネーブル信号ＥＮＢＹ２がハイレベルでありイネーブル信号ＥＮＢＹ１がローレベルである場合には、偶数番目の信号線１１ｄ２、１１ｄ４、…、１１ｄｎのみから走査信号が出力されることとなる。つまり、「ｎ／２」本の偶数番目の走査線（以下、「偶数走査線」と呼ぶ。）のみが走査されることとなる。なお、基本的には、コントローラ１０は、イネーブル信号ＥＮＢＹ１、ＥＮＢＹ２のいずれか一方をハイレベルに設定し、他方をローレベルに設定する。
【００２９】
このように、走査線駆動回路１１は、コントローラ１０から供給されるイネーブル信号ＥＮＢＹ１、ＥＮＢＹ２に応じて、奇数走査線及び偶数走査線のいずれかのみを走査することができる。
【００３０】
（走査方法）
次に、第１実施形態における走査線１４ａの走査方法について説明する。第１実施形態では、１サブフィールドの走査を２つに分割して行う。具体的には、表示パネル１４の全走査線を２つのグループに分割し、１サブフィールドの間に、いずれか一方のグループを構成する走査線のみを２回連続して走査を行う。より詳しくは、第１実施形態では、全走査線を奇数走査線と偶数走査線とに分割して、１サブフィールドの間に、奇数走査線及び偶数走査線のいずれかに対して２回連続して走査を行う。言い換えると、１サブフィールド期間を２分割した「１／２」サブフィールド期間に、奇数走査線及び偶数走査線のいずれかを全て走査することによって、１サブフィールド期間に、２回連続の走査を実行する。更に、第１実施形態では、１フィールド期間において、奇数走査線に対する走査と偶数走査線に対する走査とを１サブフィールドごとに交互に繰り返して実行する。
【００３１】
ここで、図３を参照して、第１実施形態に係る走査方法を具体的に説明する。ここでは、１フィールドを３２サブフィールドに分割した場合を一例として説明する。
【００３２】
図３（ａ）は、１フィールドと、それを構成する３２サブフィールドとを示しており、図３（ｂ）は、サブフィールドＳＦ１において走査される走査線、及び走査信号を示している。図３（ｂ）に示すように、１サブフィールド期間を分割した「１／２」サブフィールド期間に奇数走査線の全てが１回走査されていると共に、１サブフィールド期間に奇数走査線が２回連続で走査されていることがわかる。この場合には、奇数走査線のみを選択するために、コントローラ１０から走査線駆動回路１１に入力されるイネーブル信号ＥＮＢＹ１、ＥＮＢＹ２は、イネーブル信号ＥＮＢＹ１がハイレベルとなっており、イネーブル信号ＥＮＢＹ２がローレベルとなっている。なお、基本的には、１サブフィールド期間において１回目に奇数走査線を走査する場合に用いる画像データ（データ信号ｄ１〜ｄｍに対応する）と、２回目に奇数走査線を走査する場合に用いる画像データとは異なるものである。
【００３３】
図３（ｃ）は、１フィールドと、それを構成する３２サブフィールドとを示しており、図３（ｄ）は、サブフィールドＳＦ２（サブフィールドＳＦ１の次のサブフィールド）において走査される走査線、及び走査信号を示している。図３（ｄ）に示すように、１サブフィールド期間を分割した「１／２」サブフィールド期間に偶数走査線の全てが１回走査されていると共に、１サブフィールド期間に偶数走査線が２回連続で走査されていることがわかる。この場合には、偶数走査線のみを選択するために、コントローラ１０から走査線駆動回路１１に入力されるイネーブル信号ＥＮＢＹ１、ＥＮＢＹ２は、イネーブル信号ＥＮＢＹ２がハイレベルとなっており、イネーブル信号ＥＮＢＹ１がローレベルとなっている。なお、基本的には、１サブフィールド期間において１回目に偶数走査線を走査する場合に用いる画像データと、２回目に偶数走査線を走査する場合に用いる画像データとは異なるものである。
【００３４】
この後、サブフィールドＳＦ２の次のサブフィールドでは１サブフィールド期間に奇数走査線が２回連続で走査され、更にその次のサブフィールドでは１サブフィールド期間に偶数走査線が２回連続で走査される。つまり、１フィールドにおいて、奇数走査線に対する走査と偶数走査線に対する走査とが、１サブフィールドごとに交互に繰り返して実行される。以上の第１実施形態に係る走査方法によれば、１フィールドを３２サブフィールドに分割した状態において、各画素１４ｃに加えられる最小パルス幅を「１／６４」フィールド幅にすることができる。よって、走査速度を上げることなく階調表現力を高めることが可能となる。
【００３５】
次に、図４乃至図６を参照して、上記した走査方法を行う際に用いる制御信号（例えば、スタートパルスＤＹやイネーブル信号ＥＮＢＹ１、ＥＮＢＹ２など）について説明する。
【００３６】
図４は、第１実施形態で用いる、垂直走査信号ＶＳ及びスタートパルスＤＹを示す図である。図４（ａ）は垂直走査信号ＶＳを示しており、図４（ｂ）はスタートパルスＤＹを示している。図４に示すように、コントローラ１０は、１垂直期間（１フィールド期間）において、６４発のスタートパルスＤＹを発生する。つまり、前述したように１フィールドを３２サブフィールドに分割し、１サブフィールドにおいて２回走査を行うため、コントローラ１０は６４発のスタートパルスＤＹを発生する。
【００３７】
また、図５及び図６は、第１実施形態における走査方法を実行する際に用いる各制御信号のタイミングチャートを示す。
【００３８】
図５は、奇数走査線に対する走査を行う場合の各制御信号のタイミングチャートを示す。なお、図５は、主に「１／２」サブフィールド期間におけるタイミングチャートを示している。図５（ａ）はスタートパルスＤＹを示し、図５（ｂ）は走査側転送クロックＣＬＹを示し、図５（ｃ）はイネーブル信号ＥＮＢＹ１を示し、図５（ｄ）はイネーブル信号ＥＮＢＹ２を示し、図５（ｅ）は走査信号Ｇ１、Ｇ２、Ｇ３、…、Ｇｎを示している。この場合、イネーブル信号ＥＮＢＹ１がハイレベルとなっており（図５（ｃ）参照）、イネーブル信号ＥＮＢＹ２がローレベルとなっているため（図５（ｄ）参照）、走査側転送クロックＣＬＹに同期して、奇数走査線のみに対して走査信号Ｇ１、Ｇ３、Ｇ５、…、Ｇｎ−１が出力されていることがわかる（図５（ｅ）参照）。つまり、偶数走査線を飛び越して、奇数走査線のみが走査されている。
【００３９】
図６は、偶数走査線に対する走査を行う場合の各制御信号のタイミングチャートを示す。なお、図６は、主に「１／２」サブフィールド期間におけるタイミングチャートを示している。図６（ａ）はスタートパルスＤＹを示し、図６（ｂ）は走査側転送クロックＣＬＹを示し、図６（ｃ）はイネーブル信号ＥＮＢＹ１を示し、図６（ｄ）はイネーブル信号ＥＮＢＹ２を示し、図６（ｅ）は走査信号Ｇ１、Ｇ２、Ｇ３、…、Ｇｎを示している。この場合、イネーブル信号ＥＮＢＹ１がローレベルとなっており（図６（ｃ）参照）、イネーブル信号ＥＮＢＹ２がハイレベルとなっているため（図６（ｄ）参照）、走査側転送クロックＣＬＹに同期して、偶数走査線のみに対して走査信号Ｇ２、Ｇ４、Ｇ６、…、Ｇｎが出力されていることがわかる（図６（ｅ）参照）。つまり、奇数走査線を飛び越して、偶数走査線のみが走査されている。なお、奇数走査線を走査する場合も、偶数走査線する場合も、スタートパルスＤＹを転送する走査側転送クロックＣＬＹの周波数は変わらない（図５（ｂ）及び図６（ｂ）参照）。
【００４０】
次に、図７を参照して、上記のような走査方法を実行した場合の、表示パネル１４の画素１４ｃにおける保持期間について説明する。具体的には、奇数走査線に対応する画素（以下、「奇数画素」と呼ぶ。）における保持期間、及び偶数走査線に対応する画素（以下、「偶数画素」と呼ぶ。）における保持期間について説明する。図７（ａ）は垂直走査信号ＶＳを示し、図７（ｂ）はスタートパルスＤＹを示し、図７（ｃ）は図７（ｂ）に示したタイミングチャートに対応した画面図（概略図）などを示す。なお、図７（ｃ）では、走査された走査線を斜線部分で表している。
【００４１】
図７（ｂ）及び図７（ｃ）を参照すると、１回目に走査された奇数画素の保持期間は「Ｔ１」となり、２回目に走査された奇数画素の保持期間は「Ｔ２」となる。また、１回目に走査された偶数画素の保持期間は「Ｔ３」となり、２回目に走査された偶数画素の保持期間は「Ｔ４」となる。例えば、１垂直期間が「１６．６（ｍｓ）」である場合には、保持期間Ｔ１は「０．２６（ｍｓ）」となり、保持期間Ｔ２は「０．７８（ｍｓ）」となり、保持期間Ｔ３は「０．２６（ｍｓ）」となり、保持期間Ｔ４は「０．７８（ｍｓ）」となる。この場合、保持期間Ｔ１、Ｔ３は、「１／２」サブフィールド期間に相当する。つまり、第１実施形態にかかる走査方法によれば、画素のリフレッシュ期間を「１／２」サブフィールド期間とすることができる。したがって、１フィールドを３２サブフィールドに分割した状態において、各画素１４ｃに加えられる最小パルス幅を「１／６４」フィールド幅にすることができるため、階調表現力を高めることが可能となる。
【００４２】
なお、表示パネル１４に対して印加する電圧（駆動電圧）の極性を、所定のタイミングで反転させることが好ましい。つまり、表示パネル１４をコモン反転駆動又はライン反転駆動することが好ましい。具体的には、１サブフィールドの間において走査線（奇数走査線又は偶数走査線）を１回走査し終えるタイミング、１サブフィールドが終了するタイミング、及び１フィールドが終了するタイミングのいずれかのタイミングで、印加する電圧の極性を反転させる。この場合、コントローラ１０が、データ線駆動回路１２から出力される信号の電圧の極性が反転するように制御を行う。例えば、コントローラ１０は、所定電圧を基準にして正極性のハイレベル信号と負極性のハイレベル信号とが反転するように制御を行う。
【００４３】
図８は、駆動電圧の極性を反転させた場合におけるタイミングチャートの一例を示す図である。ここでは、１サブフィールドの間に走査線を１回走査し終えるタイミングで（即ち「１／２」サブフィールドが終了するタイミングで）、駆動電圧の極性を反転させた場合を例に挙げる。
【００４４】
図８（ａ）はスタートパルスＤＹを示し、図８（ｂ）は液晶の駆動電圧を示している。図８（ｂ）に示すように、「１／２」サブフィールドが終了するタイミングで（つまり、「１／２」サブフィールドごとに）、液晶の駆動電圧が、電圧Ｖ０を基準にして正極性のハイレベル信号「＋Ｖ１」と負極性のハイレベル信号「−Ｖ１」とに反転されていることがわかる。このように駆動電圧の極性を反転させることにより、一方の極性の電圧のみを印加させ続けた場合に発生し得る表示パネル１４の劣化などを抑制することが可能となる。なお、図８（ｂ）に示すように、「１／２」サブフィールド期間の全体に渡って同一の電圧に保持すること限定はされない。他の例では、「１／２」サブフィールド期間において、電圧を印加する期間と電圧を印加しない期間とを設けて、液晶を駆動させることができる。
【００４５】
なお、上記では、全走査線を奇数走査線と偶数走査線とに分割して走査を行う実施形態を示したが、これに限定はされない。他の例では、全走査線を表示パネル１４の上半分と下半分とに分割して、前述した走査方法と同様の走査方法を実行することができる。
【００４６】
［第２実施形態］
次に、第２実施形態における走査線１４ａの走査方法について説明する。第２実施形態では、１サブフィールドの走査を３つに分割して行う点で、前述した第１実施形態と異なる。具体的には、第２実施形態では、表示パネル１４の全走査線を３つのグループに分割して、１サブフィールドの間に、３つのグループのいずれか１つのグループを構成する走査線のみを３回連続して走査を行う。より詳しくは、「ｋ＝０、１、２、３、…」としたときに、全走査線を、「３ｋ＋１」本目の走査線（以下、「第１の走査線」と呼ぶ。）と、「３ｋ＋２」本目の走査線（以下、「第２の走査線」と呼ぶ。）と、「３ｋ＋３」本目の走査線（以下、「第３の走査線」と呼ぶ。）とに分割して、１サブフィールドの間に、第１の走査線、第２の走査線、及び第３の走査線のいずれかに対して３回連続して走査を行う。言い換えると、１サブフィールド期間を３分割した「１／３」サブフィールド期間に、第１の走査線、第２の走査線、及び第３の走査線のいずれかを全て走査することによって、１サブフィールド期間に、３回連続の走査を実行する。更に、第２実施形態では、１フィールド期間において、第１の走査線に対する走査、第２の走査線に対する走査、及び第３の走査線に対する走査を、１サブフィールドごとに順に繰り返して実行する。なお、第２実施形態に係る走査方法は、基本的には、図１に示した画像表示装置１００（例えばコントローラ１０や走査線駆動回路１１など）により実行される。
【００４７】
ここで、図９を参照して、第２実施形態に係る走査方法を具体的に説明する。ここでは、１フィールドを３２サブフィールドに分割した場合を一例として説明する。
【００４８】
図９（ａ）は、１フィールドと、それを構成する３２サブフィールドとを示しており、図９（ｂ）は、サブフィールドＳＦ１において走査される走査線、及び走査信号を示している。図９（ｂ）に示すように、１サブフィールド期間を分割した「１／３」サブフィールド期間に第１の走査線の全てが１回走査されていると共に、１サブフィールド期間に第１の走査線が３回連続で走査されていることがわかる。また、図９（ｃ）は、１フィールドと、それを構成する３２サブフィールドとを示しており、図９（ｄ）は、サブフィールドＳＦ２（サブフィールドＳＦ１の次のサブフィールド）において走査される走査線、及び走査信号を示している。図９（ｄ）に示すように、１サブフィールド期間を分割した「１／３」サブフィールド期間に第２の走査線の全てが１回走査されていると共に、１サブフィールド期間に第２の走査線が３回連続で走査されていることがわかる。更に、図９（ｅ）は、１フィールドと、それを構成する３２サブフィールドとを示しており、図９（ｆ）は、サブフィールドＳＦ３（サブフィールドＳＦ２の次のサブフィールド）において走査される走査線、及び走査信号を示している。図９（ｆ）に示すように、１サブフィールド期間を分割した「１／３」サブフィールド期間に第３の走査線の全てが１回走査されていると共に、１サブフィールド期間に第３の走査線が３回連続で走査されていることがわかる。
【００４９】
この後、前述したような第１の走査線に対する走査、第２の走査線に対する走査、及び第３の走査線に対する走査が、１サブフィールドごとに順に繰り返して実行される。以上の第２実施形態に係る走査方法によれば、１フィールドを３２サブフィールドに分割した状態において、各画素１４ｃに加えられる最小パルス幅を「１／９６」フィールド幅にすることができる。よって、走査速度を上げることなく階調表現力を高めることが可能となる。
【００５０】
なお、第２実施形態に係る走査方法を実行する場合には、走査線駆動回路によって第１の走査線、第２の走査線、及び第３の走査線のいずれかが走査されるように、コントローラや走査線駆動回路が構成される。具体的には、前述したイネーブル信号ＥＮＢＹ１、ＥＮＢＹ２に加えて、イネーブル信号ＥＮＢＹ３を用いると共に、これらのイネーブル信号ＥＮＢＹ１、ＥＮＢＹ２、ＥＮＢＹ３に応じて、第１の走査線、第２の走査線、及び第３の走査線のいずれかが走査されるように、走査線駆動回路を構成することが好ましい。
【００５１】
また、第２実施形態に係る走査方法を実行する場合にも、表示パネル１４に対して印加する電圧（駆動電圧）の極性を、前述したような所定のタイミングで反転させることができる。
【００５２】
［電子機器］
次に、上述した実施形態に係る画像表示装置１００を適用可能な電子機器の具体例について図１０を参照して説明する。
【００５３】
まず、上述した実施形態に係る画像表示装置１００を、可搬型のパーソナルコンピュータ（いわゆるノート型パソコン）の表示部に適用した例について説明する。図１０（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００５４】
続いて、上述した実施形態に係る画像表示装置１００を、携帯電話機の表示部に適用した例について説明する。図１０（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００５５】
なお、本発明に係る画像表示装置１００を適用可能な電子機器は、上記したものに限られない。
【００５６】
［変形例］
上記では、１サブフィールドの走査を２つ又は３つに分割して行う実施形態を示したが、本発明の適用はこれらに限定はされない。他の例では、１サブフィールドの走査を４つ以上に分割して、前述した走査方法と同様の走査方法を実行することができる。具体的には、表示パネル１４の全走査線を４つ以上のグループに分割して、１サブフィールドの間に、これらのグループのいずれか１つのグループを順に選択し、選択されたグループを構成する走査線を複数回連続して走査することができる。この場合、１サブフィールドの間に、全走査線を分割したグループの数だけ連続して走査を行うことが好ましい。
【００５７】
また、本発明は、プロジェクタの光変調素子として用いられる透過型や反射型（例えば、ＬＣＯＳ(Liquid Crystal On Silicon)など）の液晶表示装置にも適用することができる。
【００５８】
更に、本発明は、ＴＮ（Twisted Nematic）方式や、ＶＡ（Virtical Alignment）方式や、ＩＰＳ（In-Place-Switching）方式などの駆動方式を用いた種々の液晶に適用することができる。
【００５９】
また、本発明の適用は、液晶（ＬＣＤ）を用いた表示パネル１４に限定されない。走査型の表示デバイスであれば良く、例えば、ＰＤＰ（Plasma Display Panel）やＤＬＰ（digital light processing）などの走査型表示デバイスの駆動装置、または駆動方法として本発明を適用することができる。
【図面の簡単な説明】
【００６０】
【図１】第１実施形態に係る画像表示装置の概略構成を示すブロック図である。
【図２】走査線駆動回路の概略構成を示す図である。
【図３】第１実施形態に係る走査方法を説明するための図である。
【図４】第１実施形態で用いるスタートパルスを示す図である。
【図５】奇数走査線に対する走査を行う場合に用いる制御信号のタイミングチャートを示す。
【図６】偶数走査線に対する走査を行う場合に用いる制御信号のタイミングチャートを示す。
【図７】表示パネルの奇数画素及び偶数画素における保持期間を説明するための図である。
【図８】液晶の駆動電圧のタイミングチャートを示す図である。
【図９】第２実施形態に係る走査方法を説明するための図である。
【図１０】本発明を適用した電子機器の具体例を示す図である。
【符号の説明】
【００６１】
１０  コントローラ、  １１  走査線駆動回路、  １１ａ  シフトレジスタ、  １１ｂ  アンド回路、  １２  データ線駆動回路、  １４  表示パネル、  １４ａ  走査線、  １４ｂ  データ線、  １４ｃ  画素、  １００  画像表示装置
【図１】
2008185775.tif 000003
【図２】
2008185775.tif 000004
【図３】
2008185775.tif 000005
【図４】
2008185775.tif 000006
【図５】
2008185775.tif 000007
【図６】
2008185775.tif 000008
【図７】
2008185775.tif 000009
【図８】
2008185775.tif 000010
【図９】
2008185775.tif 000011
【図１０】
2008185775.tif 000012